(57)【要約】      （修正有）【課題】音声表示機能を備える携帯型メモリを提供する。【解決手段】携帯型メモリのメモリブロック１にＲＯＭ１１、隠しセクタ１２およびリライタブルセクタ１３などのブロックが設け、ＲＯＭ１１にはメモリブロック内の他のプログラムを呼び出すことができる自動再生プログラム１１１が内蔵され、隠しセクタ１２は使用者の生年月日、時刻、保存するファイルのデータなどの特殊データ１２１を保存し、ホスト端末２のシステムデータと比較することができる。リライタブルセクタ１３の特定カテゴリには音声データ１３２が保存され、リライタブルセクタ１３の比較プログラム１３１を通じて音声データ１３２をホスト端末２または携帯型メモリに内蔵されたスピーカから再生させることにより、携帯型メモリに保存する際に保存データに関する音声表示や音楽再生などの動作を自動的に行なう。【選択図】図１
2008059410.tif 000002
【特許請求の範囲】
【請求項１】
ホスト端末と接続され、音声データをホスト端末に設けられたスピーカまたは携帯型メモリに内臓されたスピーカを通じて再生する携帯型メモリであって、
前記携帯型メモリのメモリブロックに記憶機能を備える集積回路からなるＲＯＭ、隠しセクタおよびリライタブルセクタの各ブロックを設け、
前記ＲＯＭにはメモリブロック内の他のプログラムを呼び出す自動再生プログラムが内臓され、
前記隠しセクタは、ホスト端末のシステムデータと比較される特殊データが保存されるセクタであり、
前記リライタブルセクタは、書き換え可能であってリライタブルセクタの特定カテゴリは音声データの保存または消去を行い、また、該リライタブルセクタには特殊データとホスト端末のシステムデータとの比較を行う比較プログラムが設けられている、
ことを特徴とする音声表示機能を備える携帯型メモリ。
【請求項２】
前記隠しセクタの特殊データは、日付、時間、ファイルデータまたはプログラム執行信号などであることを特徴とする請求項１記載の音声表示機能を備える携帯型メモリ。
【請求項３】
前記ＲＯＭに内臓された自動再生プログラムまたはリライタブルセクタの比較プログラムは、ホスト端末のオペレーションシステム内に常駐することを特徴とする請求項１記載の音声表示機能を備える携帯型メモリ。
【請求項４】
前記携帯型メモリとメインシステムに内臓されたプログラムとのコミュニケーションは、
（ａ）：携帯型メモリとホスト端末を接続し、
（ｂ）：ホスト端末がＲＯＭの自動再生プログラムを呼び出し、自動再生プログラムをホスト端末のオペレーションシステムプログラム内に常駐させ、
（ｃ）：自動再生プログラムがリライタブルセクタの比較プログラムを呼び出し、比較プログラムをホスト端末のオペレーションプログラム内に常駐させ、
（ｄ）：使用者がホスト端末内のオペレーションシステムに内臓されたオペレーションシステムプログラムを執行し、執行が完了した後、システム信号をオペレーションシステム内に常駐する比較プログラムに伝送し、
（ｅ）：比較プログラムがオペレーションシステムプログラムに伝送されたシステム信号と隠しセクタに保存された特殊データとの比較を行い、比較が一致しない場合、音声表示を終了し、
（ｆ）：比較プログラムが対応後リライタブルセクタ内に保存された音声データを探し、ホスト端末または携帯型メモリに内臓されたスピーカを通じて音声を出力し、
（ｇ）：音声表示を終了する
ステップで行われることを特徴とする音声表示機能を備える携帯型メモリの音声表示方法。
【請求項５】
前記携帯型メモリの特殊データとホスト端末のシステムデータとの比較は、
（ａ）：携帯型メモリとホスト端末とを接続し、
（ｂ）：ホスト端末がＲＯＭの自動再生プログラムを呼び出し、自動再生プログラムをホスト端末のオペレーションシステムプログラム内に常駐させ、
（ｃ）：自動再生プログラムがリライタブルセクタの比較プログラムを呼び出し、比較プログラムをホスト端末のオペレーションプログラム内に常駐させ、
（ｄ）：比較プログラムがオペレーションシステムのシステムデータとメモリブロック内の隠しセクタの特殊データとの比較を行い、比較が一致しない場合、音声表示を終了し、
（ｅ）：比較プログラムが対応後リライタブルセクタ内に保存された音声データを探し、ホスト端末または携帯型メモリに内臓されたスピーカを通じて音声を出力し、
（ｆ）：音声表示を終了する
ステップで行われることを特徴とする音声表示機能を備える携帯型メモリの音声表示方法。
【発明の詳細な説明】
【技術分野】
【０００１】
本発明は、携帯型メモリが自動再生プログラムを通じて比較プログラムを呼び出し、比較プログラムが特殊データとホスト端末のシステムデータとの比較を行い、さらに、対応後の音声データをホスト端末または携帯型メモリに内臓されたスピーカから再生する音声表示機能を備える携帯型メモリおよびその音声表示方法に関する。
【背景技術】
【０００２】
現在市場に出回っているメモリは、ＤＲＡＭ、ＳＲＡＭ、ＳＤＲＡＭおよびフラッシュメモリであり、パーソナルコンピュータに応用するものではフラッシュメモリ技術が急速に成長している。近年、業者はさらに大容量のフラッシュメモリを開発しており、フラッシュメモリはＵＳＢメモリ、ＭＰ３プレーヤおよびマルチメディアプレーヤに広く応用されている。
【０００３】
フラッシュメモリカードが広く使用されているマルチメディアプレーヤ、ＵＳＢメモリまたはＭＰ３プレーヤなどのデジタル製品は、データをホスト端末から上述のメモリに伝送後、これらのメモリの保存内容などについて格別の表示がなされないので、使用者は携帯型メモリの使用状態を知ることができなかった。
【０００４】
これに対して、改良後のマルチメディアプレーヤ、ＵＳＢメモリまたはＭＰ３プレーヤなどのデジタル製品においては、データがホスト端末から上述の携帯型メモリに伝送されたとき、携帯型メモリに設置されたＬＥＤモニタに伝送データの日時、時間、ファイルの大きさまたは残容量などを表示することができる。しかしながら、これらの従来技術においても使用者は意識的にホスト端末と携帯型メモリの伝送状況に注意を払う必要があり、不便であった。
【０００５】
上述の従来技術の欠点は本業界の解決すべき課題であり、関連業者による更なる改良が必要であった。
【特許文献１】特開２００６−２１６０１１号公報
【発明の開示】
【発明が解決しようとする課題】
【０００６】
本発明は、携帯型メモリが自動的に比較プログラムを利用して特殊データとホスト端末のシステムデータとの比較を行い、さらに、対応後の音声データをホストまたは携帯型メモリに内臓されたスピーカから再生することによって使用者が意識的にホスト端末と携帯型メモリの伝送状況に注意を払うことなく、これらの状態を知ることができるようにしたもので、携帯型メモリにおいても従来の表示に必要としたＬＥＤモニタに掛かるコストを節約できる携帯型メモリを提供することを目的とする。
本発明は、さらに比較プログラムによって予め設置された特殊データ（例えば使用者の誕生日）とシステムデータ（システム日時）との比較を行い、さらに音声データ（誕生日の歌）などを再生し、マルチメディアデータ保存特性を備える携帯型メモリの娯楽性を高めることができる携帯型メモリを提供することを目的とする。
【課題を解決するための手段】
【０００７】
上述の課題を解決するために、請求項１の発明は、予め設けられたホスト端末と接続され、音声データをホスト端末に設けられたスピーカまたは携帯型メモリに内臓されたスピーカを通じて再生し、携帯型メモリのメモリブロックにはＲＯＭ、隠しセクタおよびリライタブルセクタなどのブロックが設けられ、ＲＯＭは、記憶機能を備える集積回路であり、ＲＯＭには自動再生プログラムが内臓され、メモリブロック内のもう一つのプログラムを呼び出し、隠しセクタは、特殊データが保存されるセクタであり、特殊データはホスト端末のシステムデータと比較され、リライタブルセクタは、書き換え可能な特性を備え、リライタブルセクタの特定カテゴリは音声データの保存または消去を行い、また、リライタブルセクタには比較プログラムが設けられ、比較プログラムは特殊データとホスト端末のシステムデータとの比較を行うことを特徴とする音声表示機能を備える携帯型メモリである。
【０００８】
請求項２の発明は、隠しセクタの特殊データは、日付、時間、ファイルデータまたはプログラム執行信号などであることを特徴とする請求項１記載の音声表示機能を備える携帯型メモリである。
【０００９】
請求項３の発明は、ＲＯＭに内臓された自動再生プログラムまたはリライタブルセクタの比較プログラムは、ホスト端末のオペレーションシステム内に常駐することを特徴とする請求項１記載の音声表示機能を備える携帯型メモリである。
【００１０】
請求項４の発明は、携帯型メモリとメインシステムに内臓されたプログラムとのコミュニケーションは、（ａ）：携帯型メモリとホスト端末を接続し、（ｂ）：ホスト端末がＲＯＭの自動再生プログラムを呼び出し、自動再生プログラムをホスト端末のオペレーションシステムプログラム内に常駐させ、（ｃ）：自動再生プログラムがリライタブルセクタの比較プログラムを呼び出し、比較プログラムをホスト端末のオペレーションプログラム内に常駐させ、（ｄ）：使用者がホスト端末内のオペレーションシステムに内臓されたオペレーションシステムプログラムを執行し、執行が完了した後、システム信号をオペレーションシステム内に常駐する比較プログラムに伝送し、（ｅ）：比較プログラムがオペレーションシステムプログラムに伝送されたシステム信号と隠しセクタに保存された特殊データとの比較を行い、比較が一致しない場合、音声表示を終了し、（ｆ）：比較プログラムが対応後リライタブルセクタ内に保存された音声データを探し、ホスト端末または携帯型メモリに内臓されたスピーカを通じて音声を出力し、（ｇ）：音声表示を終了するステップで行われることを特徴とする音声表示機能を備える携帯型メモリの音声表示方法である。
【００１１】
請求項５の発明は、携帯型メモリの特殊データとホスト端末のシステムデータとの比較は、（ａ）：携帯型メモリとホスト端末とを接続し、（ｂ）：ホスト端末がＲＯＭの自動再生プログラムを呼び出し、自動再生プログラムをホスト端末のオペレーションシステムプログラム内に常駐させ、（ｃ）：自動再生プログラムがリライタブルセクタの比較プログラムを呼び出し、比較プログラムをホスト端末のオペレーションプログラム内に常駐させ、（ｄ）：比較プログラムがオペレーションシステムのシステムデータとメモリブロック内の隠しセクタの特殊データとの比較を行い、比較が一致しない場合、音声表示を終了し、
（ｅ）：比較プログラムが対応後リライタブルセクタ内に保存された音声データを探し、ホスト端末または携帯型メモリに内臓されたスピーカを通じて音声を出力し、（ｆ）：音声表示を終了するステップで行われることを特徴とする音声表示機能を備える携帯型メモリの音声表示方法である。
【発明の効果】
【００１２】
１  本発明は携帯型メモリおよびホスト端末が能動的に使用者とコミュニケーションを行うので、使用者は特にホスト端末と携帯型メモリとの伝送または使用状況に注意を払う必要がない。また、携帯型メモリの製造者にとってはＬＥＤモニタの製造コストを節約できる。
２  本発明は予め設定した特殊データ（例えば使用者の誕生日）とシステムデータ（例えばシステム日時）との比較を行うことができ、さらに音声データ（例えば誕生日歌）を再生し、マルチメディアデータ保存特性を備える携帯型メモリに娯楽性を持たせることができる。
【発明を実施するための最良の形態】
【００１３】
本発明の目的、特徴および効果を示す実施例を図に沿って詳細に説明する。
【００１４】
図１は、本発明を示すブロック図である。メモリブロック１内は、ＲＯＭ１１、隠しセクタ１２およびリライタブルセクタ１３の各ブロックから構成される。メモリブロック１は、ＵＳＢメモリ、ＭＰ３プレーヤまたはマルチメディアプレーヤに内臓させるものであって、本実施例においてはＵＳＢメモリのメモリブロックを例として、本発明の主要な特徴の詳細を下記に示す。
【００１５】
ＲＯＭ１１は、記憶機能を備える集積回路であり、ＲＯＭ１１はデータの読み出しのみを行うことができ、さらにＲＯＭ１１は電源を切った後もデータが保存されるという特性を備える。ＲＯＭ１１には自動再生プログラム１１１が内蔵され、自動再生プログラム１１１はメモリブロック１内の特定のプログラムを起動する。隠しセクタ１２は、例えば特別な日時（使用者の生年月日）、時間、ファイルの大きさまたは数字などの特殊データ１２１を隠しセクタとして保存するセクタである。
また、リライタブルセクタ１３は書き換え可能なセクタであって、リライタブルセクタ１３の特定カテゴリには特定の音楽データを保存でき、この特定カテゴリの音楽データは任意に削除、置換または交換ができる。また、リライタブルセクタ１３は比較プログラム１３１を備え、比較プログラム１３１は自動再生プログラム１１１によって起動され、ホスト端末の例えば日付、時間、ファイルデータまたはプログラム執行信号システムデータなどのデータとの比較または結合を行う。
【００１６】
上述のリライタブルセクタ１３に保存される特定の音楽データは、音声、音色または音楽などのその他の音声データであり、使用者に対する表示の為の音声または娯楽性を備える効果音を保存する。音声データのファイル形式は、ＡＤＰＣＭ、ＭＩＤＩ、ＭＰ３またはＷＡＶＥなどの公知・公用の形式を採用する。保存するファイル形式など格別の制約はなく、本発明に応用可能である。
【００１７】
図１、２に、本発明の携帯型メモリの音声表示方法の音声表示とメインシステムに内蔵されたプログラムとのコミュニケーションのステップを示す。
（１０１）：携帯型メモリとホスト端末２を接続し、ステップ（１０２）を執行する。
（１０２）：ホスト端末２がメモリブロック１内のＲＯＭ１１区域の自動再生プログラム１１１を呼び出し、自動再生プログラム１１１をホスト端末２のオペレーションシステムプログラム２１１内に常駐させ、ステップ（１０３）を執行する。
（１０３）：オペレーションシステム２１に常駐する自動再生プログラム１１１がメモリブロック１内のリライタブルセクタ１３の比較プログラム１３１を呼び出し、比較プログラム１３１をホスト端末２のオペレーションシステムプログラム２１１内に常駐させ、ステップ（１０４）を執行する。
（１０４）：使用者がホスト端末２内のオペレーションシステム２１に内臓されたオペレーションシステムプログラム２１１（例えばファイルマネージャ）を執行し、オペレーションシステムプログラム２１１の執行が完了した後、システム信号をオペレーションシステム２１内に常駐する比較プログラム１３１に伝送し、ステップ（１０５）を執行する。
（１０５）：比較プログラム１３１がオペレーションシステムプログラム２１１に伝送されたシステム信号とメモリブロック１内の隠しセクタ１２に保存された特殊データ１２１との比較を行い、比較が一致する場合ステップ（１０６）を執行し、比較が一致しない場合、ステップ（１０７）を執行する。
（１０６）：比較プログラム１３１が対応後リライタブルセクタ１３内に保存された音声データ１３２を探し、音声出力２２または携帯型メモリに内臓されたスピーカを通じて音声を再生し、ステップ（１０７）を執行する。
（１０７）：音声表示が終了する。
【００１８】
図１、３は、本発明の携帯型メモリの音声表示方法における特殊データ１２１とホスト端末２のシステムデータとの比較時のステップを示す。
（２０１）：携帯型メモリとホスト端末２とを接続し、ステップ（２０２）を執行する。
（２０２）：ホスト端末２がメモリブロック１内のＲＯＭ１１区域の自動再生プログラム１１１を呼び出し、自動再生プログラム１１１をホスト端末２のオペレーションシステムプログラム２１１内に常駐させ、ステップ（２０３）を執行する。
（２０３）：オペレーションシステム２１に常駐する自動再生プログラム１１１がメモリブロック１内のリライタブルセクタ１３の比較プログラム１３１を呼び出し、比較プログラム１３１をホスト端末２のオペレーションプログラム２１１内に常駐させ、ステップ（２０４）を執行する。
（２０４）：比較プログラム１３１がオペレーションシステム２１のシステムデータとメモリブロック１内の隠しセクタ１２に保存された特殊データ１２１との比較を行い、比較が一致する場合ステップ（２０５）を執行し、比較が一致しない場合、ステップ(２０６）を執行する。
（２０５）：比較プログラム１３１が対応後リライタブルセクタ１３内に保存された音声データ１３２を探し、音声出力２２または携帯型メモリに内臓されたスピーカを通じて音声を再生し、ステップ（２０６）を執行する。
（２０６）：音声表示が終了する。
【００１９】
上述のホスト端末２は、パーソナルコンピュータ、ノートブックコンピュータまたはＰＤＡなどのオペレーションシステムを備える作業プラットホームであり、前述の効果を達成できる形式はすべて本発明の範囲に含まれ、これらの簡易な修飾および同等効果の構造の変更はすべて本発明の範囲に含まれる。
【００２０】
上述の説明から分かるように、本発明の音声表示機能を備える携帯型メモリおよびその音声表示方法は、携帯型メモリのメモリブロック１をＲＯＭ１１、隠しセクタ１２およびリライタブルセクタ１３に分け、リライタブルセクタ１３の比較プログラム１３１がオペレーションシステムプログラム２１１が生成する信号と特殊データ１２１との比較を行い、対応後の音声データ１３２をホスト端末２または携帯型メモリに内臓されたスピーカから再生するものであり、本発明は下記の長所を備える。
【００２１】
１  本発明は、携帯型メモリおよびホスト端末２が能動的に使用者とコミュニケーションを行うので、使用者は特にホスト端末２と携帯型メモリとの伝送または使用状況に注意を払う必要がない。また、携帯型メモリについて表示用のＬＥＤモニタが必要ない。
【００２２】
２  本発明は、予め設定した特殊データ１２１（例えば使用者の誕生日）とシステムデータ（例えばシステム日時）との比較を行うことができ、さらに音声データ（例えば誕生日歌）を再生し、マルチメディアデータ保存特性を備える携帯型メモリに娯楽性を持たせることができる。
【００２３】
以上の説明は、本発明の実施例を示したものであり、本発明の特許請求の範囲を制限するものではなく、本発明の特許請求の範囲を運用した同等効果の変更および修飾は本発明の特許請求の範囲に含まれる。
【００２４】
以上の説明から分かるように、本発明の音声表示機能を備える携帯型メモリおよびその音声表示方法は、確実にその効果および目的を達成でき、特許の申請要件を満たすものであり、産業上の利用性、新規性および進歩性を備える。
【図面の簡単な説明】
【００２５】
【図１】本発明を示すブロック図である。
【図２】本発明を示す流れ図である。
【図３】本発明を示す流れ図である。
【符号の説明】
【００２６】
１    メモリブロック
１１  ＲＯＭ
１１１自動再生プログラム
１２  隠しセクタ
１２１特殊データ
１３  リライタブルセクタ
１３１比較プログラム
１３２音声データ
２    ホスト端末
２１  オペレーションシステム
２１１オペレーションシステムプログラム
２２  音声出力
【図１】
2008059410.tif 000003
【図２】
2008059410.tif 000004
【図３】
2008059410.tif 000005